(57)【要約】【課題】      重量のある大型のプラズマディスプレイを省力的に能率よく、所定の高さ位置に設置することができる大型ディスプレイ用のスタンドを提供する。【解決手段】  ベース部材４の両側に立設した一対の支柱５、５間に、大型プラズマディスプレイＡの取付枠６を、ガイド溝７とガイドローラ１２で前記支柱５、５に沿って上下に移動自在となるよう取付け、前記支柱５、５の上部に、上昇位置にある取付枠６を支柱５、５に固定する固定機構が設けてある。【選択図】    図１
0003116683.tif 000002
【実用新案登録請求の範囲】
【請求項１】
ベース部材の両側に立設した支柱間に、ディスプレイの取付枠を、ガイド機構で前記支柱に沿って上下に移動自在となるよう取付け、前記支柱の上部に、上昇位置にある取付枠を支柱に固定するための固定機構を設けた大型ディスプレイ用のスタンド。
【請求項２】
上記取付枠が、両側の支柱間に納まる枠状に形成され、この取付枠の上部前面の両側に、大型ディスプレイの裏面に設けたブラケットの上部を固定するヒンジと、同じく中間部の前面位置に、大型ディスプレイの裏面に設けたブラケットの中間部を係止する横軸が設けられている請求項１に記載の大型ディスプレイ用のスタンド。
【請求項３】
上記ガイド機構が、両側の支柱に対向面側で解放するよう設けた上下方向のガイド溝と、このガイド溝内に収まるよう上記取付枠の両側で上下の位置に回転可能に取付けられたガイドローラで形成され、取付枠の昇降時にガイドローラが前記ガイド溝に沿って転動するようになっている請求項１又は２に記載の大型ディスプレイ用のスタンド。
【請求項４】
上記固定機構が、支柱の外面からガイド溝に対して進退可能となる係止ピンと、上記取付枠の両側に前記係止ピンが係合するよう設けた係合孔で形成されている請求項１乃至３の何れかに記載の大型ディスプレイ用のスタンド。
【考案の詳細な説明】
【技術分野】
【０００１】
この考案は、重量のある大型プラズマディスプレイを省力的に設置することができるようにしたスタンドに関する。
【背景技術】
【０００２】
テレビ等の薄型ディスプレイの設置には、スタンド方式、壁付け方式、吊り下げハンガー方式等があるが、従来のスタンド方式に用いられているスタンドは、ベース部材の上面に立設した支柱の上端部に取付枠を固定し、この取付枠の両側に設けた張り出し部に、薄型ディスプレイの裏面両側のブラケットをボルトで固定する構造になっている（例えば特許文献１参照）。
【特許文献１】実用新案登録第３１０３３９０号公報
【考案の開示】
【考案が解決しようとする課題】
【０００３】
上記した従来の薄型ディスプレイ用のスタンドは、取付枠が支柱の上端部に固定化された構造になっているので、薄型ディスプレイを取付枠に固定するには、薄型ディスプレイを取付枠の高さ位置にまで持ち上げ、この持ち上げ状態を保持したまま、薄型ディスプレイを取付枠にボルトで固定する作業を行わなければならない。
【０００４】
ところで、近年、薄型プラズマディスプレイはサイズが益々大型化の傾向にあり、薄型ディスプレイはサイズの大型化に比例して重量も増大している。
【０００５】
このため、大型のプラズマディスプレイは、複数の作業者でもその取り扱いがサイズ的及び重量的に困難となり、上記のような従来のスタンドに大型で重いプラズマディスプレイを持ち上げて取付枠に取付けるには、作業の困難性だけでなく、多大の労力と時間を必要とするという問題がある。
【０００６】
そこで、この考案の課題は、大型のプラズマディスプレイを省力的に能率よく、所定の高さ位置に設置することができる大型ディスプレイ用のスタンドを提供することにある。
【課題を解決するための手段】
【０００７】
上記のような課題を解決するため、この考案は、ベース部材の両側に立設した支柱間に、ディスプレイの取付枠を、ガイド機構で前記支柱に沿って上下に移動自在となるよう取付け、前記支柱の上部に、上昇位置にある取付枠を支柱に固定するための固定機構を設けた構成を採用したものである。
【０００８】
上記取付枠が、両側の支柱間に納まる枠状に形成され、この取付枠の上部前面の両側に、大型プラズマディスプレイの裏面に設けたブラケットの上部を固定するヒンジと、同じく中間部の前面位置に、大型プラズマディスプレイの裏面に設けたブラケットの中間部を係止する横軸が設けられている構造とすることができる。
【０００９】
また、上記ガイド機構が、両側の支柱に対向面側で解放するよう設けた上下方向のガイド溝と、このガイド溝内に収まるよう上記取付枠の両側で上下の位置に回転可能に取付けられたガイドローラで形成され、取付枠の昇降時にガイドローラが前記ガイド溝に沿って転動するようになっている構造とすることができる。
【００１０】
更に、上記固定機構が、支柱の外面からガイド溝に対して進退可能となる係止ピンと、上記取付枠の両側に前記係止ピンが係合するよう設けた係合孔で形成されているようにすることができる。
【００１１】
ここで、ベース部材は、下部に設けた複数のキャスターによって移動可能となり、このベース部材の上に立設した支柱は、前柱と後柱を前後に間隔をおいて配置し、その間に上下方向のガイド溝を形成していると共に、前柱と後柱の外側を外装板で覆った構造になっている。
【００１２】
また、上記取付枠は、上桟と中桟及び下桟を両側の縦桟で結合し、両側の支柱間に納まる枠状に形成され、前記縦桟の外面側で上下の位置に、ガイドローラが上記ガイド溝に沿って転動するように枢止され、上桟の両端部前面に、大型プラズマディスプレイの裏面に設けたブラケットの上部をボルトで固定する二又状のヒンジと、同じく中桟の前面位置に、大型プラズマディスプレイの裏面に設けたブラケットの中間係止部を落とし込んで係止する横軸が設けられている。
【００１３】
上記固定機構の係止ピンは、両支柱の上端と途中で、上昇位置にある取付枠の上桟と下桟の端部と対応する位置に設けられ、前記取付枠を上昇位置にして係止ピンを上桟と下桟の端部に設けた係合孔に係止することで、取付枠を支柱の押し上げ位置に固定化することができる。
【考案の効果】
【００１４】
この考案によると、ベース部材上に立設した両側支柱間に、ディスプレイの取付枠を、ガイド機構で支柱に沿って上下に移動自在となるよう取付け、前記支柱の上部に、上昇位置にある取付枠を支柱に固定するための固定機構を設けたので、取付枠の下降位置において、この取付枠に大型プラズマディスプレイを取付け、これを押し上げれば、取付枠を介して大型プラズマディスプレイは支柱に沿って上昇させることができ、所定高さ位置で取付枠を支柱に固定すれば設置が完了することになり、重量のある大型のプラズマディスプレイでも軽い力で安全に持ち上げることができ、従って、スタンド方式による大型プラズマディスプレイの設置が省力的に能率よく行える。
【００１５】
また、ガイド機構を、両側の支柱に設けた上下方向のガイド溝と、このガイド溝内に収まるよう取付枠に回転可能に取付けられたガイドローラで形成すると、前記ガイド溝に沿ってガイドローラが転動することにより、取付枠とこれに取付けた大型プラズマディスプレイを、円滑に昇降させることができる。
【考案を実施するための最良の形態】
【００１６】
以下、この考案の実施の形態を図示例と共に説明する。
【００１７】
図１と図２のように、この考案の大型プラズマディスプレイ用のスタンド１は、下部四隅に移動用のキャスター２と下部適所に固定用のアジャスター３を設けたベース部材４の上面で両側の位置に、大型プラズマディスプレイＡの幅よりも少し狭い配置間隔で一対の支柱５、５を立設し、両側の支柱５、５間に、大型プラズマディスプレイＡの取付枠６を、ガイド機構で前記支柱５、５に沿って上下に移動自在となるよう取付け、前記両支柱５、５の上部に、上昇位置にある取付枠６を支柱に固定するための固定機構を設けた構造になっている。
【００１８】
上記支柱５、５は、上端を横桟５ｄで結合され、図３乃至図５のように、チャンネル材を用いた前柱５ａと後柱５ｂを前後に間隔をおいて背中合わせ状に配置し、その間に上下方向の全長にわたるガイド溝７を形成していると共に、両側のガイド溝７、７が対向面側で解放するよう、前柱５ａと後柱５ｂの外側を外装板５ｃで覆った構造になっている。
【００１９】
上記取付枠６は、両端が両ガイド溝７、７に嵌る長さの角パイプを用いた上桟８と中桟９及び下桟１０を両側と中間の縦桟１１で結合し、両側の支柱５、５間に納まる矩形の枠状に形成され、ガイド溝７とでガイド機構を形成するため、両側縦桟１１の外面側で上下の位置に、ガイドローラ１２を上記ガイド溝７に沿って転動するように枢止し、上桟８の両端部前面に、大型プラズマディスプレイＡの裏面に設けたブラケットＢの上部をボルト１３で固定する二又状のヒンジ１４と、同じく中桟９の前面で少し前方の位置に、大型プラズマディスプレイＡの裏面に設けたブラケットＢの中間係止部Ｃを落とし込んで係止する水平の横軸１５がブラケット１５ａによる取付けによって設けられている。
【００２０】
なお、ガイド機構は、図示のようなガイド溝７とガイドローラ１２の組み合わせだけでなく、ガイド溝とその内部を上下動する滑り部材のような機構を採用することができる。
【００２１】
また、上桟８に対するヒンジ１４のボルトによる取付け位置は、大型プラズマディスプレイのサイズに合わせて水平方向に選択できるようになっていると共に、図３のように、このヒンジ１４には、前後の位置にボルト孔１６が複数設けられ、大型プラズマディスプレイＡの上部位置を取付ける時、前後のボルト孔１６を選ぶことにより、大型プラズマディスプレイＡの前後の取付け角度を選択することができるようにしている。
【００２２】
上記した固定機構は、支柱５の外面からガイド溝７に対して進退可能となるよう操作する係止ピン１７と、上記取付枠６の両側に前記係止ピン１７が係合するよう設けた係合孔１８で形成され、係止ピン１７は、両支柱５、５の上端と途中で、上昇位置にある取付枠６の上桟８と下桟１０の端部と対応する位置に、外装カバー５ｃへの取付けによって設けられ、前記取付枠６を上昇位置にして係止ピン１７を上桟８と下桟１０の端部に設けた係合孔１８に係止することで、取付枠６を支柱５、５の押し上げ位置に固定化することができる。又、係止ピン１７とボルトを併用してボルトを係合孔に嵌挿固定して安全化する事も出来る。
【００２３】
なお、図１の場合、スタンド１には、ベース部材４の上面で両側支柱５、５間の位置に、トレイ１９を取付けたり上端部にカメラテーブルを取付けるための柱部材２０が立設してある。
【００２４】
この考案のスタンド１は、上記のような構成であり、スタンド１に大型プラズマディスプレイを設置するには、取付枠６を支柱５、５間の下部位置に下降させ、この下降位置にある取付枠６に対して図２に二点鎖線で示すごとく大型プラズマディスプレイＡを取付ける。
【００２５】
上記取付枠６に対する大型プラズマディスプレイＡの取付けは、大型プラズマディスプレイＡの裏面両側に設けたブラケットＢの上部を、取付枠６におけるヒンジ１４にボルト１３で固定し、同じくブラケットＢの中間係止部Ｃを横軸１５に落とし込んで係止すればよく、取付枠６が下降位置にあるので、この取付け作業が床面上において行え、重量のある大型のプラズマディスプレイＡであっても、取付枠６に対する取付け作業が簡単容易になる。
【００２６】
上記のように、下降位置の取付枠６に大型プラズマディスプレイＡを取付けると、次に、これを支柱５、５に沿うよう押し上げれば、取付枠６を介して大型プラズマディスプレイＡを支柱５、５に沿って上昇させることができ、取付枠６が上昇位置に達すると固定機構の係止ピン１７を上桟８と下桟１０の端部に設けた係合孔１８に係止することで、取付枠６を支柱５、５の押し上げ位置に固定化することができ、図２に実線で示すように、大型プラズマディスプレイＡの設置が完了することになる。
【００２７】
このように、取付枠６に取付けた大型プラズマディスプレイＡを、支柱５、５に沿って押し上げるので、重量のある大型のプラズマディスプレイＡでも軽い力で安全に持ち上げることができ、スタンド方式による大型プラズマディスプレイＡの設置が省力的に能率よく行える。
【００２８】
また、両側の支柱５、５に設けた上下方向のガイド溝７と、このガイド溝７内に収まるよう取付枠６に回転可能に取付けられたガイドローラ１２によるガイド機構によって、取付枠６とこれに取付けた大型プラズマディスプレイＡを、円滑に昇降させることができる。
【図面の簡単な説明】
【００２９】
【図１】この考案に係るスタンドの取付枠が上昇位置にある状態を示す正面図
【図２】この考案に係るスタンドの取付枠が上昇位置にある状態を示す側面図
【図３】この考案に係るスタンドの取付枠と支柱の関係を示す分解斜視図
【図４】取付枠の上部と支柱の関係及び大型プラズマディスプレイの取付け状態を示す拡大した縦断側面図
【図５】取付枠の上部と支柱の関係及び大型プラズマディスプレイの取付け状態を示す拡大した横断平面図
【符号の説明】
【００３０】
１      スタンド
２      キャスター
３      アジャスター
４      ベース部材
５      支柱
６      取付枠
７      ガイド溝
８      上桟
９      中桟
１０    下桟
１１    縦桟
１２    ガイドローラ
１３    ボルト
１４    ヒンジ
１５    横軸
１６    ボルト孔
１７    係止ピン
１８    係合孔
１９    トレイ
２０    柱部材
【図１】
0003116683.tif 000003
【図２】
0003116683.tif 000004
【図３】
0003116683.tif 000005
【図４】
0003116683.tif 000006
【図５】
0003116683.tif 000007